(57)【要約】  本発明は、ハンドピースと、取り外しできる歯ブラシヘッドとを有する好ましくは電動歯ブラシを目的とする。ここで、本発明は、一方で、歯ブラシの歯ブラシヘッドに関し、これは、一組のブリストルと、歯ブラシのハンドピースに結合する為の結合装置とを備え、特に歯磨きで付けられるべきペースト状の、ゲル型及び／又は液体の物質を供給する為の管路を備え、結合装置は、ハンドピース側で管路セクションに管路を結合する為の管路結合部を有する。他方で、本発明は、歯ブラシヘッドを結合する為の結合装置を備えた歯ブラシのハンドピースに関し、前記ハンドピースは、同様に、特に歯磨きで付けられるべきペースト状の、ゲル型及び／又は液体の物質を供給する為の管路を備え、結合装置は、ハンドピース側で管路セクションに管路を結合する為の管路結合部を有する。【選択図】  図２
2009520534.tif 000002
【特許請求の範囲】
【請求項１】
歯ブラシのハンドピースに結合する為の結合装置（１０）と一組のブリストル（９）を備える、歯ブラシのハンドピースから取り外し可能な歯ブラシヘッドにおいて、
特に歯磨きで付けられるべきペースト状の、ゲル型及び／又は液体の物質を供給する為の管路（７ｂ）を備え、前記結合装置（１０）は、前記ハンドピース側で管路（７ａ）に前記管路（７ｂ）を結合する為の管路結合部（１１）を有する、前記歯ブラシヘッドであって、
前記管路結合部（１１）は、制御弁（１２）を備え、前記制御現（１２）は、前記ブラシヘッド（２）が前記歯ブラシの前記ハンドピース（１）に結合されるとき、前記ハンドピース（１）に備えられた弁アクチュエータ（７ａ）の係合により開放され、前記ハンドピース側で管路セクション（７ａ）を前記ブラシヘッド側で管路セクション（７ｂ）と共に結合し、前記ハンドピース（１）から分離する際に前記管路（７ｂ）を閉鎖することを特徴とする、前記歯ブラシヘッド。
【請求項２】
前記制御弁（１２）は、中を通って伸びている弁路（１５）を備えた弁本体（１３）を含み、弾性的に閉鎖する弁通路用開口部（１９）を備えた弾性仕切り壁（１８）を備えている、請求項１に記載の歯ブラシヘッド。
【請求項３】
前記制御弁（１２）は、弾性弁オープナー（１３ａ、１５ａ）を含み、前記弾性弁オープナー（１３ａ、１５ａ）は、弾性的に変形可能であり、前記ハンドピース側で前記管路（７ａ）の端部により起動可能になっている、請求項１または２に記載の歯ブラシヘッド。
【請求項４】
前記弁オープナー（１３ａ、１５ａ）は、前記ハンドピース側で、管路（７ａ）の結合のための結合セクションを形成する、請求項１〜３のいずれか一項に記載の歯ブラシヘッド。
【請求項５】
前記弁オープナー（１３ａ、１５ａ）は、前記ハンドピース側で、管路（７ａ）の挿入により放射方向に弾性的に拡張可能になっているネックを形成する、請求項１〜４のいずれか一項に記載の歯ブラシヘッド。
【請求項６】
前記制御弁（１２）は、少なくとも一つの弾性密閉リップ（１６）を含み、前記密閉リップ（１６）は、前記ハンドピース側で前記弁アクチュエータ（７ａ）により起動可能になる、請求項１〜５のいずれか一項に記載の歯ブラシヘッド。
【請求項７】
前記少なくとも一つの弾性密閉リップ（１６）は、前記ネック（１５ａ）の底部を形成する、請求項５または６に記載の歯ブラシヘッド。
【請求項８】
前記少なくとも一つの弾性密閉リップ（１６）は、前記密閉リップ（１６）が前記弁オープナー（１３ａ、１５ａ）の放射方向の拡張により開くように前記弁オープナー（１３ａ、１５ａ）に連結されている、請求項１〜７のいずれか一項に記載の歯ブラシヘッド。
【請求項９】
少なくとも一つの弾性密閉リップ（１６）は、弾性仕切り壁（１８）により形成され、前記仕切り壁（１８）は、ほぼ中央に配列され、更に／又は、スロット形状の弁通路用開口部（１９）を有することが好ましい、請求項１〜８のいずれか一項に記載の歯ブラシヘッド。
【請求項１０】
前記制御弁（１２）は、少なくとも一つの弾性密閉リップ（１６）の領域外周で収縮部（２０）を有する、請求項１〜９のいずれか一項に記載の歯ブラシヘッド。
【請求項１１】
前記制御弁（１２）は、単体構成として形成され、更に／又は、固体の弾性体、好ましくは、柔らかいプラスチック及び／又はゴムから構成されている、請求項１〜１０のいずれか一項に記載の歯ブラシヘッド。
【請求項１２】
前記制御弁（１２）は、前記ブラシヘッド側で管路（７ｂ）に、プラグ接続及び／又は差し込まれるように適合された連結セクション（１５ｂ）を有する、請求項１〜１１のいずれか一項に記載の歯ブラシヘッド。
【請求項１３】
前記連結セクション（１５ｂ）は、周囲ビーズシール（２２）を有する、請求項１〜１２のいずれか一項に記載の歯ブラシヘッド。
【請求項１４】
一組のブリストル（９）を搭載する歯ブラシヘッド（２）に結合する為の結合装置（１０）を有する歯ブラシのハンドピースにおいて、
特に歯磨きで付けられるべきペースト状の、ゲル型及び／又は液体の物質を歯ブラシヘッド（２）に供給する為の管路（７ａ）を備え、前記結合装置（１０）は、付けられる前記物質を供給する為に、前記ブラシヘッド側で、管路（７ｂ）に前記管路（７ａ）を結合する為の管路結合部（１１）を有する、前記歯ブラシヘッドであって、
前記管路結合部（１１）は、制御弁（１２）を備え、前記制御現（１２）は、前記ブラシヘッド（２）が前記歯ブラシの前記ハンドピース（１）に結合されるとき、前記ハンドピース（１）に備えられた弁アクチュエータ（７ａ）の係合により開放され、前記ハンドピース側で管路セクション（７ａ）を前記ブラシヘッド側で管路セクション（７ｂ）と共に結合し、前記ハンドピース（１）から分離する際に前記管路（７ｂ）を閉鎖することを特徴とする、前記ハンドピース。
【請求項１５】
前記制御弁（１２）は、中を通って伸びている弁路（１５）を備えた弁本体（１３）を含み、弾性的に閉鎖する弁通路用開口部（１９）を備えた弾性仕切り壁（１８）を備えている、請求項１〜１４のいずれか一項に記載のハンドピース。
【請求項１６】
前記制御弁（１２）は、弾性弁オープナー（１３ａ、１５ａ）を含み、前記弾性弁オープナー（１３ａ、１５ａ）は、弾性的に変形可能であり、前記ハンドピース側で前記管路（７ｂ）の端部により起動可能になっている、請求項１〜１５のいずれか一項に記載のハンドピース。
【請求項１７】
前記弁オープナー（１３ａ、１５ａ）は、前記ブラシヘッド側で、管路（７ｂ）の結合のための結合セクションを形成する、請求項１〜１６のいずれか一項に記載のハンドピース。
【請求項１８】
前記弁オープナー（１３ａ、１５ａ）は、前記ブラシヘッド側で、管路（７ｂ）の挿入により放射方向に弾性的に拡張可能になっているネックを形成する、請求項１〜１７のいずれか一項に記載のハンドピース。
【請求項１９】
前記制御弁（１２）は、少なくとも一つの弾性密閉リップ（１６）を含み、前記密閉リップ（１６）は、前記ブラシヘッド側で前記弁アクチュエータ（７ｂ）により起動可能になる、請求項１〜１８のいずれか一項に記載のハンドピース。
【請求項２０】
前記少なくとも一つの弾性密閉リップ（１６）は、前記ネック（１５ａ）の底部を形成する、請求項１〜１９のいずれか一項に記載のハンドピース。
【請求項２１】
前記少なくとも一つの弾性密閉リップ（１６）は、前記密閉リップ（１６）が前記弁オープナー（１３ａ、１５ａ）の放射方向の拡張により開くように前記弁オープナー（１３ａ、１５ａ）に連結されている、請求項１〜２０のいずれか一項に記載のハンドピース。
【請求項２２】
少なくとも一つの弾性密閉リップ（１６）は、弾性仕切り壁（１８）により形成され、前記仕切り壁（１８）は、ほぼ中央に配列され、更に／又は、スロット形状弁通路用開口部（１９）を有することが好ましい、請求項１５と組み合わされた請求項１〜２１のいずれか一項に記載のハンドピース。
【請求項２３】
前記制御弁（１２）は、少なくとも一つの弾性密閉（１６）の領域外周で、横断面の収縮部（２０）を有する、請求項１〜２２のいずれか一項に記載のハンドピース。
【請求項２４】
前記制御弁（１２）は、単体構成として形成され、更に／又は、固体の弾性体、好ましくは、柔らかいプラスチック及び／又はゴムから構成されている、請求項１〜２３のいずれか一項に記載のハンドピース。
【請求項２５】
前記制御弁（１２）は、前記ハンドピース側で管路（７ａ）に、プラグ接続及び／又は差し込まれるように適合された連結セクション（１５ｂ）を有する、請求項１〜２４のいずれか一項に記載のハンドピース。
【請求項２６】
前記連結セクション（１５ｂ）は、周囲ビーズシール（２２）を有する、請求項１〜２５のいずれか一項に記載の歯ブラシヘッド。
【請求項２７】
請求項１４〜２６のいずれかに従うハンドピースと、請求項１〜１３のいずれか一項に従い前記ハンドピースに結合されるように適合された歯ブラシヘッド（２）とを有する電動歯ブラシ。
【発明の詳細な説明】
【発明の分野】
【０００１】
本発明は、ハンドピースと、取り外し可能な歯ブラシヘッドと、を有する、好ましくは電動歯ブラシに関する。ここで、本発明は、一方で、歯ブラシの歯ブラシヘッドに関し、これは、一組のブリストルと、歯ブラシのハンドピースに結合する為の結合装置とを備え、特に歯磨きで付けられるべきペースト状の、ゲル型及び／又は液体の物質を供給する為の管路を備え、結合装置は、ハンドピース側で管路セクションに管路を結合する為の管路結合部を有する。他方で、本発明は、歯ブラシヘッドを結合する為の結合装置を備えた歯ブラシのハンドピースに関し、前記ハンドピースは、同様に、特に歯磨きで付けられるべきペースト状の、ゲル型及び／又は液体の物質を供給する為の管路を備え、結合装置は、ハンドピース側で管路セクションに管路を結合する為の管路結合部を有する。
【発明の背景】
【０００２】
ＤＥ１９７  ２９  ５１７から、練り歯磨きがハンドピース内のリザーバから歯ブラシヘッドの一組のブリストルに、取り外し可能な歯ブラシヘッドの内部に備えられた管路を通って供給される歯ブラシ用ヘッド手動歯ブラシが知られている。電動歯ブラシにおいて、歯ブラシヘッド内で利用可能な空間は、同時に駆動運動をブラシヘッドに伝達する為の駆動列を収容する為に機能しているので、非常に限定されている。練り歯磨き用管路と、特にその関連管路の結合は、これらを歯ブラシヘッド内に収容するため、非常に小さな寸法で作られなければならない。さらに、電動歯ブラシのブラシヘッドは、よく（例えば、ハンドピースが数人のユーザを有するとき、各ユーザが彼または彼女のアタッチメントブラシをハンドピースにプラグ接続したり、それを取り外したりするとき）交換される。取り外された歯ブラシヘッド内に（そこに備えられた管路内を意味するが）残っている練り歯磨きは、乾燥し、管路を詰まらせることになる。
【０００３】
この点に留意して、本発明は、改善された歯ブラシヘッドと改善された歯ブラシ用ハンドピースを提供することを目的とする。これらは、従来技術の欠点を回避し、有利な方法で従来技術を発展させる。好ましくは、この目的は、管路内の練り歯磨きが乾燥することを防止する、簡単な、小型の管路結合部を提供することである。
【０００４】
本発明によると、この目的は、請求項１に従う歯ブラシヘッド、請求項１４に従う歯ブラシ用ハンドピース、請求項２７に従う歯ブラシにより達成される。本発明の好ましい実施形態は、従属形式の請求項の対象になっている。
【発明の概要】
【０００５】
そこで、ハンドピース側の管路をブラシヘッド側の管路と接続し、歯ブラシヘッドがハンドピースから分離されるときに管路横断面が自動的に閉鎖され、再び係合するときに自動的に開かれる方式で付けられる物質を供給する、管路結合部を構成することが提案されている。これを達成するため、本発明に従うと、管路結合部は、ブラシヘッドが歯ブラシのハンドピースに結合されるときに弁アクチュエータの係合により自動的に開き、ブラシヘッド側の管路セクションにハンドピース側の管路セクションを接続し、ハンドピースから分離の際に自動的に管路を閉じる制御弁を備える。このアレンジメントにおいて、制御弁は、一般的に歯ブラシヘッドまたはハンドピースのいずれか一方に備えられてもよいが、弁アクチュエータは、それぞれの他の歯ブラシ部分にアレンジされる。歯ブラシヘッドにアレンジされた制御弁は、ハンドピースに備えられた弁アクチュエータにより開けられ、ハンドピースにはアレンジされた制御弁は、歯ブラシヘッドに備えられた弁アクチュエータにより開けられる。
【０００６】
弁アクチュエータの機能は、特に、接続される管路端部により実施可能になる。制御弁が、ハンドピースに歯ブラシヘッドが結合されるときに結合されるべき管路セクションと係合されると、制御弁が開けられる。
【０００７】
本発明の更なる開発において、制御弁は、弾性的に変形可能であり、結合される管路端部により起動可能な弾性弁オープナーを含んでもよい。制御弁又はその弾性弁オープナー部分が、ハンドピースに歯ブラシヘッドが結合されるときに結合されるべき管路の端部と係合されると、弁オープナーは弾性的に変形するので、弁を開ける。逆に、歯ブラシヘッドが歯ブラシのハンドピースから取り外されているとき、結合された管路の端部を弁オープナーから外させ、弁オープナーはその弾性により自動的に初期位置に戻り、再び閉じる。
【０００８】
都合の良いことに、弁オープナーは、同時に結合部を形成し、これを通じて、結合されるべき管路が、流体又は媒体密方式で制御弁に接続された管路セクションと流体連通になるように適合される。これにより、弁オープナーは、二重機能を持つ。一方、これは、結合及び離脱の間に制御弁を開けるように機能する。他方、これは、結合されるべき管路に流体密接続を保証する。
【０００９】
弁オープナーは、特に、歯ブラシヘッドがハンドピースに結合されるときに結合されるべき管路の端部にスライドされるように適合されたネックを形成してもよい。このアレンジメントにおいて、ネックの内径は、都合の良いことに、挿入されるべき管路の端部の外径より小さくなっているので、結合されるべき管路の端部にスライドされるときにネックを放射方向に拡張する。この弾性的な拡張運動は、制御弁により、弁横断面の開放運動へと転換される。
【００１０】
弁の正確な開放および閉鎖を実現するため、前述されたネックの底部を形成し、それに接続される少なくとも１つの密閉リップが備えられているので、ネックの拡張の際に開き、ネックの収縮の際に再び弁路を閉じる。このアレンジメントにおいて、前記密閉リップは、特に、ネックの周辺内壁と一体的に形成され、そこから内側に弁路の内側へと突き出ているので、ネックの拡張の際に流れ方向に対し横切る方向で弁を通って移動可能である。
【００１１】
本発明の特に有利な実施形態によると、弁路を開閉する為の前記密閉リップは、弾性クロスバー又は弾性仕切り壁により形成可能であり、弾性クロスバー又は弾性仕切り壁は、制御弁の弁路にあり、管状周辺で弁路壁に接続され、好ましくはほぼ中央にスロット形状弁開口を含み、弁開口の縁は、制御弁の非開放状態で、一方を他方の最上部に液密で載せるか、並置させる密閉リップを形成する。前記ネック、すなわち弁路が拡張されるとき、弁路の壁との接続のため、弾性仕切り壁は、放射方向に離れるように縁部で引っ張られ、その結果、弁リップは離れて移動し、スロット形状弁の開口を開けるので、より大きくなる。
【００１２】
密閉リップを簡単に開けるため、本発明の更なる開発において、弁本体の横断面は、仕切り壁の領域でテーパが付けられてもよい。特に、制御弁は、仕切り壁の領域において、その外周で、収縮部に接するネックの拡張を容易にする収縮部を持ち、密閉リップを引き離す。さらに、ネックの拡張は、いわゆる、密閉リップの反対側にアレンジされた弁セクションから外されているので、密閉リップに接続されたネックだけが拡張されて弁の残部は拡張されないか少なくとも僅かの拡張である。
【００１３】
制御弁は、管路のセクションに堅く接続されてもよいが、制御弁は、接続セクションにより設定されている。このアレンジメントにおいて、制御弁の接続セクションは、対応する管路に又は管路内にプラグ接続できるように構成されてもよい。有利なことに、接続セクションは、各々の管路又は前記弁を拘束する壁セクションに関し、制御弁の液密密閉を可能にする周囲ビーズシールを有する。
【００１４】
制御弁は、幾つかの部分を備えるように作られ、様々な材料から形成された構成要素を含んでもよい。しかし、本発明の更なる開発において、制御弁は、単体構成として形成され、柔らかいプラスチックである完全な弾性の弁本体から構成され、必要であれば、ゴムやゴム状の材料で構成される。
【好適実施形態の詳細な説明】
【００１５】
以下、添付された図面で例示された電動歯ブラシ用の実施形態を参照して、本発明を説明する。
【００１６】
図１に示された歯ブラシは、ハンドピース１と歯ブラシヘッド２を有し、歯ブラシヘッド２は、ブラシ管３上にあり、ブラシ管３はハンドピース１の前方端部を形成するか、それに接続されている。ハンドピース１は、歯ブラシハウジング４により形成され、歯ブラシハウジング４は、１回使用または充電式電池、駆動モータを収容し、駆動モータは、スイッチ６によりＯＮ・ＯＦＦされ、スイッチ６は、ハウジング４の外部表面にアレンジされている。さらに、ハンドピース１に受容されているのは、練り歯磨き用リザーバであり、そこから、ブラシ管３の内側に備えられた管路７ａを通って練り歯磨きの供給物がブラシヘッド２に、手動またはモータにより（例えば、駆動モータ５によるポンプ駆動により）提供可能になっている。
【００１７】
歯ブラシヘッド２は、駆動可能な一組のブリストル９を有し、一組のブリストル９は、駆動モータにより、駆動列（詳細は図示せず）を介して振動回転運動で駆動されるように適合されているが、駆動列は、ブラシ管３の内側に受容されている。
【００１８】
図１に示すように、歯ブラシヘッド２は、分断線８でハンドピース１から外すことができる。取り外し可能な、歯ブラシヘッド２とハンドピース１との連結は、結合装置１０により達成されている。分断線８は、また、ブラシ管３と歯ブラシハウジング４との間にも提供されてもよい（すなわち、ブラシ管３と歯ブラシヘッド２は、単体で一体的に形成可能である）。
【００１９】
練り歯磨きを供給する為の管路７は、分断線８を越えて連続し、流体又は管路結合部１１は、管路７に挿入され、その結合部は、結合装置１０の一部であり、歯ブラシヘッド２がハンドピース１に付けられるとき、ハンドピース側の管路７のセクション７ａをブラシヘッド側の管路７のセクション７ｂに結合するが、他方で、２本の管路セクション７ａ、７ｂは、歯ブラシヘッド２が外されているときには互いに分離可能になっている。
【００２０】
この構成において、管路結合部１１は、図２，図３に示された制御弁１２を備え、制御弁１２は、図示された実施形態において、ブラシヘッド側で管路７のセクション７ｂと堅く連結され、ハンドピース側で管路７のセクション７ａと取り外し可能に連結されている。しかし、そのような制御弁１２は、また、ハンドピース側で管路のセクション７ａに搭載可されてもよいことが理解されよう。
【００２１】
制御弁１２は、単体の、完全に弾性の弁本体１３から構成されており、図示された実施形態において、弁本体１３は、本質的に回転し、弁の長手方向の軸１４に関して対称になるように構成されている。図２，図３が示すように、弁本体１３に形成されているのは、弁路１５であり、弁路１５は、同様に弾性の制御部材１７により開閉されてもよい。制御部材として１７として機能するのは、ダイヤフラムであり、これは、本質的に放射方向に拡張する本質的にディスク状または板状構成の弾性横断方向壁１８を意味する。横断方向壁１８は、環状周囲方式で弁路１５の内壁に一体的に形成され、いわゆる仕切り壁を形成し、仕切り壁は、弁路１５を弁路セクション１５ａ、１５ｂに駆動し、弁路セクション１５ａ、１５ｂは、同軸方向に前後に横たわっている。
【００２２】
横断方向壁１８に備えられているのは、スロット状弁路開口部１９であり、横断方向壁１８に接するセクションが密閉リップ１６を形成するようになっており、密閉リップ１６は、図２に従って弁が閉じた状態において、互いに寄りかかるので、弁路開口部１９を閉じる。
【００２３】
図２が示すように、弁本体１３は、密閉リップ１６の領域で、その外周において、収縮部２０を有し、そこで、弁本体１３の外径が減少し、弁本体１３の壁厚も軸方向に接するセクションに対して減少する。これにより、簡単に密閉リップ１６を開けることができる。
【００２４】
弁路セクション１５ａの領域において、全体の弁本体１３は、放射状に拡張可能である。弁路セクション１５ａは、ネックを形成し、ハンドピース側で管路セクション７ａが挿入可能になっている。このアレンジメントにおいて、ほぼ円筒状の現本体セクション１３ａの内径は、前記弁路セクション１５ａを囲み、画成するが、弁路セクション１５ａに挿入される管路セクション７ａの外径より幾分小さくなるように収縮されている。歯ブラシヘッド２が結合装置１０によりハンドピース１に付けられるとき、管路セクション７ａは、小さな寸法の弁路セクション１５ａに挿入され、図３に示されるように、弁本体セクション１３ａを拡張させる。弁本体セクション１３ａの拡張は、また、仕切り壁１８を放射方向へ遠くに引っ張るので、密閉リップ１６は、開き、密閉リップ１６の間の弁路開口部１９は、図３に示されるように、形成される。
【００２５】
その限りにおいて、前記弁本体１３ａは、弁オープナーを形成し、弁オープナーにより、制御弁１２，より正確に言うと、その弾性密閉リップ１６が開けられる。同時に、前記弁本体セクション１３ａは、結合セクションを形成し、結合セクションにより、制御弁１２は結合されるべき管路セクション７ａと取り外し可能に接続可能になる。
【００２６】
図２、図３が示すように、前記弁本体１３ａは、図示された実施形態において、収縮部２０から弁本体１３の一端部まで拡張し、本質的に円筒状の構成を有し、フランジ形状の、放射状縁のリブは、弁本体セクション１３ａの前方端部で形成されるが、リブは密閉部として機能してもよい。
【００２７】
密閉リップ１６の他の側に横たわっている反対側の弁路セクション１５ｂは、同様に、本質的に円筒状の弁本体セクション１３ｂにより囲まれ、弁本体セクション１３ｂは、また、その前方端部において、放射方向外側に向けられたビーズシール２２を有する。この構成において、弁本体セクション１３ｂは、制御弁１２が搭載可能なブラシヘッド側で制御弁１２を管路セクション７ｂに接続するように機能する。
【００２８】
自由に選択可能な幾何学的形状の弁本体１３、特に弁本体１３ａ、１３ｂのため、ブラシ管３とブラシヘッド２のそれぞれに関し、最適な密閉機能を達成することが可能である。実際の弁のスイッチング機能は、密閉リップ１６の面積とネック１５ａの直径にある。歯ブラシ２がハンドピース１に結合されているとき、ハンドピース側の管路セクション７ａは、前記ネック１５ａに組み込まれ、密閉リップ１６を開け、付けられている物質、特に練り歯磨きが邪魔されることなく中を流れることを可能にする。逆に、歯ブラシヘッド２がハンドピース１から取り外されているとき、前記管路セクション７ａは、ネック１５ａから後退されており、密閉リップ１６を閉じ、練り歯磨きが乾燥することを防止する。
【図面の簡単な説明】
【００２９】
【図１】図１は、歯ブラシヘッドに練り歯磨きを供給する為の管路を有する電動歯ブラシの全体を示す斜視図である。
【図２】図２は、閉じた状態の制御弁の斜視断面図である。
【図３】図３は、開いた状態の、図２の制御源の斜視断面図である。
【符号の説明】
【００３０】
１…ハンドピース、２…歯ブラシヘッド、３…ブラシ管、４…歯ブラシハウジング、６…スイッチ、７ａ…管路、７ｂ…管路、８…、９…ブリストル、１０…結合装置、１１…管路結合部、１２…制御弁、１３…弁本体、１３ａ…弁オープナー、１３ｂ…弁本体セクション、１４…軸、１５ａ…弁本体セクション、ネック、１５ｂ…弁本体セクション、１６…密閉リップ、１７…制御部材、１８…仕切り壁、１９…弁路開口部、２０…収縮部、２２…ビーズシール
【図１】
2009520534.tif 000003
【図２】
2009520534.tif 000004
【図３】
2009520534.tif 000005
【国際調査報告】
2009520534.tif 000006
2009520534.tif 000007
2009520534.tif 000008
2009520534.tif 000009